(57)【特許請求の範囲】
【請求項１】
励起光を出射する励起光源と、
上記励起光源が出射した励起光を受け取る入射端部と当該入射端部から入射した励起光を出射する出射端部とを有する導光部と、
上記出射端部から出射された励起光を受けて、可視光線から近赤外線の波長域における光を発する発光部と、
を備えた発光装置と、
上記発光部が出射した光を反射することにより、所定の立体角内を進む光線束を形成する樹脂製の反射鏡と、
上記光線束の進む方向に形成された開口部を覆う部材であって、上記光線束が透過する樹脂製の透明部材と、を備え、
上記励起光源は、上記反射鏡と上記透明部材とで囲まれた反射空間の外部に設けられることを特徴とする照明装置。
【請求項２】
上記発光部は、上記反射空間の内部において、熱伝導率の高い高熱伝導部材によって保持されており、
上記高熱伝導部材の一部は、上記反射空間の外部に突出していることを特徴とする請求項１に記載の照明装置。
【請求項３】
上記反射鏡は、ポリエチレン、ポリプロピレン、塩化ビニル、ポチスチレン、アクリルニトリル／ブタジエン／スチレン樹脂、フェノール樹脂、エポキシ樹脂、ポリウレタン樹脂、シリコーン樹脂から選択される少なくとも１つの樹脂により形成され、
上記透明部材は、ポリスチレン、アクリルニトリル／スチレン、アクリルニトリル／ブタジエン／スチレン樹脂、メタクリル樹脂、ポリエチレンテレフタレート、エポキシ樹脂、シリコーン樹脂、ポリカーボネート、有機無機ハイブリッドガラスから選択される少なくとも１つの樹脂により形成されることを特徴とする請求項１または２に記載の照明装置。
【請求項４】
請求項１〜３の何れか１項の照明装置を備えた車両用ヘッドライト。
【発明の詳細な説明】
【技術分野】
【０００１】
本発明は、高輝度光源として機能する発光装置を備えた照明装置および当該照明装置を備えた車両用ヘッドライトに関する。
【背景技術】
【０００２】
近年、励起光源として発光ダイオード（ＬＥＤ；Light Emitting Diode）や半導体レーザ（ＬＤ；Laser Diode）等の半導体発光素子を用い、これらの励起光源から生じた励起光を、蛍光物質を含む発光部に照射してインコヒーレントな照明光を発生させる発光装置の研究が盛んになってきている。
【０００３】
このような発光装置に関する技術の例として特許文献１および２に開示された灯具がある。これらの灯具では、高輝度光源を実現するために、励起光源として半導体レーザを用いている。半導体レーザから発振されるレーザ光は、コヒーレントな光であるため、指向性が強く、当該レーザ光を励起光として無駄なく集光し、利用することができる。このような半導体レーザを励起光源として用いた発光装置（ＬＤ発光装置と称する）を車両用ヘッドランプに好適に適用することができる。
【０００４】
一方、インコヒーレントな白色ＬＥＤを用いて車両用ヘッドランプを実現する技術の例としては、非特許文献１および２に開示された車両用ヘッドランプがある。
【０００５】
非特許文献１には、車両用ヘッドランプの発光部から発生する光の配光パターン（配光分布）を、鉛直方向に狭く、水平方向に広くすることが記載されている。
【０００６】
非特許文献２には、使用する光学部品を樹脂製にすることで、軽量化及びデザイン性を考慮した車両用ＬＥＤヘッドランプが記載されている。
【０００７】
さらに、特許文献３〜５には、ＬＥＤあるいはＬＤを励起光源として用いた自転車用ライトが記載されている。その自転車用ライトでは、励起光源が、レンズ作用を有する樹脂製等のバルク型レンズの内部に配設されている。
【先行技術文献】
【特許文献】
【０００８】
【特許文献１】特開２００５−１５００４１号公報（２００５年６月９日公開）
【特許文献２】特開２００３−２９５３１９号公報（２００３年１０月１５日公開）
【特許文献３】特開２００２−２２５７６２号公報（２００２年８月１４日公開）
【特許文献４】特開２００２−２３１０２３号公報（２００２年８月１６日公開）
【特許文献５】特開２００９−１２７７号公報（２００９年１月８日公開）
【非特許文献】
【０００９】
【非特許文献１】佐々木  勝、「白色ＬＥＤの自動車照明への応用」、応用物理学会誌、２００５年、第７４巻、第１１号、ｐ．１４６３―１４６６
【非特許文献２】スタンレー電気株式会社、「高出力ＬＥＤの自動車ヘッドランプへの応用」、第５回窒化物半導体応用研究会、２００９年５月２９日発表資料
【発明の概要】
【発明が解決しようとする課題】
【００１０】
ところが、一般的に、そのような発光装置を備えた車両用ヘッドランプ等の照明装置は、発光部が出射した光を反射する反射ミラー、及び集光ミラーが、金属材料、無機ガラス等で形成されており、特許文献１、２、及び非特許文献１に記載の照明装置もその例外ではない。従って、反射ミラー、集光ミラーが金属材料等であるがゆえに、照明装置は、高重量化・高価格化を余儀なくされ、その利用性はユーザにとって十分に高いものではなかった。
【００１１】
非特許文献２では、ＬＥＤヘッドランプの光学部品を樹脂材料で形成する旨記載されている。しかしながら、非特許文献２は、その旨を記載するに留まっており、励起光源と発光部とを組み合わせた構成において、いかに樹脂材料を使用するか、いかに照明装置自体の小型化、軽量化等を実現するか、といった点にまで説明が及んでいない。
【００１２】
特許文献３に記載の自転車用ライトは発光部を備えていない。加えて、励起光源（ＬＥＤあるいはＬＤ）全体が樹脂製等のバルク型レンズの内部に配設されている。従って、特許文献３は、励起光源と発光部とを組み合わせた場合に、照明装置の小型化・軽量化を考慮した最適設計のための、発光部の位置決め、あるいは、励起光源、発光部、及びバルク型レンズのレイアウトといった技術的事項を何ら開示するものではない。
【００１３】
本発明は、上記の問題を解決するためになされたもので、その目的は、利用性に優れ、小型化・軽量化を実現する照明装置および当該照明装置を備えた車両用ヘッドライトを提供することにある。
【課題を解決するための手段】
【００１４】
本発明に係る照明装置は、上記の課題を解決するために、励起光を出射する励起光源と、上記励起光源が出射した励起光を受け取る入射端部と当該入射端部から入射した励起光を出射する出射端部とを有する導光部と、上記出射端部から出射された励起光を受けて、可視光線から近赤外線の波長域における光を発する発光部と、を備えた発光装置と、上記発光部が出射した光を反射することにより、所定の立体角内を進む光線束を形成する樹脂製の反射鏡と、上記光線束の進む方向に形成された開口部を覆う部材であって、上記光線束が透過する樹脂製の透明部材と、を備え、上記励起光源は、上記反射鏡と上記透明部材とで囲まれた反射空間の外部に設けられることを特徴としている。
【００１５】
上記の構成によれば、励起光源が出射した励起光は、導光部の入射端部に入り、導光部の出射端部から出射される。この励起光が発光部に照射されると当該発光部が発光する。そして、発光部が出射した光は反射鏡によって反射され、反射鏡が反射した光線束は、透明部材を透過する。
【００１６】
ここで、発光部が発光する光の波長域は可視光線から近赤外線の波長域であるため、反射鏡が反射する光、及び透明部材を透過する光の波長域も可視光から近赤外域となる。従って、被照射物の温度を上昇させる波長域である遠赤外線（熱線）、あるいは、樹脂を退色・変質させる波長域である紫外線を含まれない光が、反射鏡で反射され、かつ透明部材を透過することになる。従って、反射鏡および透明部材を樹脂材料で形成したとしても、時間の経過に伴う樹脂材料の成分劣化等の問題を確実に回避することができる。
【００１７】
そして、樹脂材料を使用することで、次のようなメリットを享受することができる。つまり、樹脂材料を使用することにより、樹脂材料の軽量・安価という特徴をそのまま照明装置の軽量化・低価格化につなげることができる。加えて、樹脂材料の特性である加工性の高さを活かして、照明装置のデザイン性を高めることができる。そのような数々の利点が相俟って、ユーザにとって照明装置の利用性を高めることができる。
【００１８】
さらに、本発明に係る照明装置では、励起光源は、反射鏡と透明部材とで囲まれた反射空間の外部に設けられている。これにより、次のような効果が得られる。
【００１９】
具体的には、反射鏡と透明部材とで囲まれた反射空間の外部に励起光源を設けることにより、反射空間の内部に励起光源を設ける場合と比べて、反射空間に必要な容積を小さくすることができる。つまり、励起光源を反射空間の外部に設けることにより、反射鏡及び透明部材の小型化が進み、それに伴い、反射鏡及び透明部材のさらなる軽量化を達成できる。その結果、照明装置の小型化・軽量化をさらに実現することができる。加えて、樹脂材料の使用量が減るため、照明装置のさらなる低価格化というメリットをも享受できる。
【００２０】
なお、励起光源から発生する熱が樹脂製の反射鏡に及ぼす影響を懸念する声もある。これについては、励起光源が発射した励起光を発光部へと導く導光部を適宜設計することで、つまり、導光部の長さ等を適宜調節することで、励起光源を反射鏡から離間した位置（つまり、冷却しやすい位置）に設置すればよい。これにより、励起光源から発生した熱が樹脂製の反射鏡に影響を及ぼすことを回避することができる。また、導光部の長さ等を適宜調節可能にしておけば、励起光源を交換しやすい位置に設置することもできるため、照明装置の設計自由度をさらに高めることができる。
【００２１】
このようにして、利用性に優れ、小型化・軽量化を実現した照明装置をユーザに提供することができる。
【００２２】
また、上記発光部は、上記反射空間の内部において、熱伝導率の高い高熱伝導部材によって保持されており、上記高熱伝導部材の一部は、上記反射空間の外部に突出していることが好ましい。
【００２３】
上記構成を備えることにより、発光部で発生する熱は、高熱伝導部材を介して反射空間の外部に効率的に放熱される。それゆえ、発光部から発生した熱が反射空間内に蓄積し、発光部に不具合が生じるといった問題を未然に防止することができる。
【００２４】
また、上記反射鏡は、ポリエチレン、ポリプロピレン、塩化ビニル、ポチスチレン、アクリルニトリル／ブタジエン／スチレン樹脂、フェノール樹脂、エポキシ樹脂、ポリウレタン樹脂、シリコーン樹脂から選択される少なくとも１つの樹脂により形成され、上記透明部材は、ポリスチレン、アクリルニトリル／スチレン、アクリルニトリル／ブタジエン／スチレン樹脂、メタクリル樹脂、ポリエチレンテレフタレート、エポキシ樹脂、シリコーン樹脂、ポリカーボネート、有機無機ハイブリッドガラスから選択される少なくとも１つの樹脂により形成されることが好ましい。
【００２５】
上述したように、反射鏡を形成する樹脂材料は、高温や紫外線に対する耐性を高くする必要がない。従って、反射鏡を形成する樹脂材料として、汎用樹脂、汎用エンジニアリング樹脂、スーパーエンジニアリング樹脂の何れでも採用しうる。なかでも、汎用樹脂は樹脂価格が比較的安く加工もしやすいため、四大汎用樹脂と呼ばれるポリエチレン（ＰＥ）、ポリプロピレン（ＰＰ）、塩化ビニル（ＰＶＣ）、ポリスチレン（ＰＳ）は好適に採用することができる。
【００２６】
また、透明部材の材料としては、透光性を有する樹脂材料、つまり非結晶樹脂によって形成されるため、ポリスチレン、アクリルニトリル／スチレン、アクリルニトリル／ブタジエン／スチレン樹脂、メタクリル樹脂、ポリエチレンテレフタレート、エポキシ樹脂、シリコーン樹脂、ポリカーボネート、有機無機ハイブリッドガラスなどを好適に採用することができる。
【００２７】
また、上記何れかの照明装置を車両用ヘッドライトに適用することもできる。
【００２８】
上述したように、本発明の照明装置は、利用性に優れ、かつ小型化・軽量化を実現している。従って、本発明に係る照明装置を車両用ヘッドライトに適用した場合、その利用性の高さ、及び小型化されているがゆえに、車両の設計自由度を大幅に高めることができる。しかも、樹脂材料を使って軽量化も実現しているため、車両の燃費も改善される。このような照明装置は、昨今の環境意識の高まりを背景として、より好適に車両用ヘッドライトに適用することができる。
【発明の効果】
【００２９】
本発明に係る照明装置は、以上のように、励起光を出射する励起光源と、上記励起光源が出射した励起光を受け取る入射端部と当該入射端部から入射した励起光を出射する出射端部とを有する導光部と、上記出射端部から出射された励起光を受けて、可視光線から近赤外線の波長域における光を発する発光部と、を備えた発光装置と、上記発光部が出射した光を反射することにより、所定の立体角内を進む光線束を形成する樹脂製の反射鏡と、上記光線束の進む方向に形成された開口部を覆う部材であって、上記光線束が透過する樹脂製の透明部材と、を備え、上記励起光源は、上記反射鏡と上記透明部材とで囲まれた反射空間の外部に設けられる構成である。
【００３０】
それゆえ、利用性に優れ、小型化・軽量化を実現した照明装置をユーザに提供することができる。
【図面の簡単な説明】
【００３１】
【図１】本発明の一実施形態に係るヘッドランプの構成を示す断面図である。
【図２】本発明の一実施形態に係るヘッドランプが備える光ファイバーの出射端部と発光部との位置関係を示す図である。
【図３】発光部の位置決め方法の変更例を示す断面図である。
【図４】（ａ）および（ｂ）は、光ファイバーの複数の出射端部を、発光部のレーザ光照射面に対して配置するパターンの一例を示す図である。
【図５】（ａ）は光ファイバーの出射端部から出射されるレーザ光の光強度分布を示す図であり、（ｂ）は、複数のレーザ光照射領域の位置関係を示す図である。
【図６】（ａ）は半導体レーザの回路図であり、（ｂ）は半導体レーザの基本構造を示す斜視図である。
【図７】各種材料の熱伝導率を示す図である。
【図８】本発明の一実施形態に係るレーザダウンライトが備える発光ユニットおよび従来のＬＥＤダウンライトの外観を示す概略図である。
【図９】上記レーザダウンライトが設置された天井の断面図である。
【図１０】上記レーザダウンライトの断面図である。
【図１１】上記レーザダウンライトの設置方法の変更例を示す断面図である。
【図１２】上記ＬＥＤダウンライトが設置された天井の断面図である。
【図１３】上記レーザダウンライトおよび上記ＬＥＤダウンライトのスペックを比較するための図である。
【発明を実施するための形態】
【００３２】
〔実施の形態１〕
本発明の実施の一形態について図１〜図７に基づいて説明すれば、以下のとおりである。ここでは、本発明の照明装置の一例として、自動車用のヘッドランプ１を例に挙げて説明する。ただし、本発明の照明装置は、自動車以外の車両・移動物体（例えば、人間・船舶・航空機・潜水艇・ロケットなど）のヘッドランプとして実現されてもよいし、その他の照明装置として実現されてもよい。その他の照明装置として、例えば、サーチライト、プロジェクター、家庭用照明器具を挙げることができる。
【００３３】
ヘッドランプ１は、走行用前照灯（ハイビーム）の配光特性基準を満たしていてもよいし、すれ違い用前照灯（ロービーム）の配光特性基準を満たしていてもよい。
【００３４】
（ヘッドランプ１の構成）
図１は、ヘッドランプ１の構成を示す断面図である。同図に示すように、ヘッドランプ１は、半導体レーザアレイ（励起光源）２、非球面レンズ４、光ファイバー（導光部）５、フェルール６、発光部７、反射鏡８、透明板９、ハウジング１０、エクステンション１１およびレンズ（透明部材）１２を備えている。半導体レーザアレイ２、光ファイバー５、フェルール６および発光部７によって発光装置の基本構造が形成されている。
【００３５】
半導体レーザアレイ２は、励起光を出射する励起光源として機能し、複数の半導体レーザ３を基板上に備えるものである。半導体レーザ３のそれぞれからレーザ光が発振される。なお、励起光源として複数の半導体レーザ３を用いる必要は必ずしもなく、半導体レーザ３を１つのみ用いてもよい。しかし、高出力のレーザ光を得るためには、複数の半導体レーザ３を用いることが好ましい。
【００３６】
半導体レーザ３は、１チップに１つの発光点を有するものであり、例えば、４０５ｎｍ（青紫色）のレーザ光を発振し、出力１．０Ｗ、動作電圧５Ｖ、電流０．６Ａのものであり、直径５．６ｍｍのパッケージに封入されているものである。半導体レーザ３が発振するレーザ光は、４０５ｎｍに限定されず、４００ｎｍ以上４２０ｎｍ以下の波長範囲にピーク波長を有するレーザ光であればよい。
【００３７】
非球面レンズ４は、半導体レーザ３から発振されたレーザ光（励起光）を、光ファイバー５の一方の端部である入射端部５ｂに入射させるためのレンズである。例えば、非球面レンズ４として、アルプス電気製のＦＬＫＮ１  ４０５を用いることができる。上述の機能を有するレンズであれば、非球面レンズ４の形状および材質は特に限定されない。
【００３８】
光ファイバー５は、半導体レーザ３が発振したレーザ光を発光部７へと導く導光部材であり、複数の光ファイバーの束である。この光ファイバー５は、上記レーザ光を受け取る複数の入射端部５ｂと、入射端部５ｂから入射したレーザ光を出射する複数の出射端部５ａとを有している。複数の出射端部５ａは、発光部７のレーザ光照射面（受光面）７ａ（図２参照）における互いに異なる領域に対してレーザ光を出射する。換言すれば、複数の出射端部５ａは、発光部７の互いに異なる部分に対してレーザ光を出射する。出射端部５ａは、レーザ光照射面７ａに接触していてもよいし、僅かに間隔を置いて配置されてもよい。
【００３９】
光ファイバー５は、中芯のコアを、当該コアよりも屈折率の低いクラッドで覆った２層構造をしている。コアは、レーザ光の吸収損失がほとんどない石英ガラス（酸化ケイ素）を主成分とするものであり、クラッドは、コアよりも屈折率の低い石英ガラスまたは合成樹脂材料を主成分とするものである。例えば、光ファイバー５は、コアの径が２００μｍ、クラッドの径が２４０μｍ、開口数ＮＡが０．２２の石英製のものであるが、光ファイバー５の構造、太さおよび材質は上述のものに限定されず、光ファイバー５の長軸方向に対して垂直な断面は矩形であってもよい。
【００４０】
なお、導光部材として光ファイバー以外の部材、または光ファイバーと他の部材とを組み合わせたものを用いてもよい。この導光部材は、半導体レーザ３が発振したレーザ光を受け取る少なくとも１つの入射端部と当該入射端部から入射したレーザ光を出射する複数の出射端部とを有するものであればよい。例えば、少なくとも１つの入射端部を有する入射部、および複数の出射端部を有する出射部を光ファイバーとは別の部材として形成し、これら入射部および出射部を光ファイバーの両端部に接続してもよい。
【００４１】
図２は、出射端部５ａと発光部７との位置関係を示す図である。同図に示すように、フェルール６は、光ファイバー５の複数の出射端部５ａを発光部７のレーザ光照射面７ａに対して所定のパターンで保持する。このフェルール６は、出射端部５ａを挿入するための孔が所定のパターンで形成されているものでもよいし、上部と下部とに分離できるものであり、上部および下部の接合面にそれぞれ形成された溝によって出射端部５ａを挟み込むものでもよい。フェルール６の材質は、特に限定されず、例えば合成樹脂である。なお、図２では、便宜上、出射端部５ａを３つ示しているが、出射端部５ａの数は３つに限定されない。
【００４２】
発光部７は、出射端部５ａから出射されたレーザ光を受けて発光するものであり、レーザ光を受けて発光する蛍光体を含んでいる。具体的には、発光部７は、蛍光体保持物質としてのシリコーン樹脂の内部に蛍光体が分散されているものである。シリコーン樹脂と蛍光体との割合は、１０：１程度である。また、発光部７は、蛍光体を押し固めたものであってもよい。蛍光体保持物質は、シリコーン樹脂に限定されず、無機ガラスまたは有機無機ハイブリッドガラスであってもよい。
【００４３】
上記蛍光体は、酸窒化物系のものであり、青色、緑色および赤色の蛍光体がシリコーン樹脂に分散されている。半導体レーザ３は、４０５ｎｍ（青紫色）のレーザ光を発振するため、発光部７に当該レーザ光が照射されると白色光が発生する。それゆえ、発光部７は、波長変換材料であるといえる。
【００４４】
なお、半導体レーザ３は、４５０ｎｍ（青色）のレーザ光（または、４４０ｎｍ以上４９０ｎｍ以下の波長範囲にピーク波長を有する、いわゆる「青色」近傍のレーザ光）を発振するものでもよく、この場合には、上記蛍光体は、黄色の蛍光体、または緑色の蛍光体と赤色の蛍光体との混合物である。黄色の蛍光体とは、５６０ｎｍ以上５９０ｎｍ以下の波長範囲にピーク波長を有する光を発する蛍光体である。緑色の蛍光体とは、５１０ｎｍ以上５６０ｎｍ以下の波長範囲にピーク波長を有する光を発する蛍光体である。赤色の蛍光体とは、６００ｎｍ以上６８０ｎｍ以下の波長範囲にピーク波長を有する光を発する蛍光体である。
【００４５】
上記蛍光体は、サイアロン蛍光体と通称されるものが好ましい。サイアロンとは、窒化ケイ素のシリコン原子の一部がアルミニウム原子に、窒素原子の一部が酸素原子に置換された物質である。サイアロン蛍光体は、窒化ケイ素（Ｓｉ３Ｎ４）にアルミナ（Ａｌ２Ｏ３）、シリカ（ＳｉＯ２）および希土類元素などを固溶させて作ることができる。
【００４６】
蛍光体の別の好適な例としては、ＩＩＩ−Ｖ族化合物半導体のナノメータサイズの粒子を用いた半導体ナノ粒子蛍光体を用いることもできる。同一の化合物半導体（例えばインジュウムリン：ＩｎＰ）を用いても、その粒子径を変更させることにより、量子サイズ効果によって発光色を変化させることができることが半導体ナノ粒子蛍光体の特徴の一つである。（例えばＩｎＰでは、粒子サイズが３〜４ｎｍ程度のときに赤色に発光する。ここで、粒子サイズは透過型電子顕微鏡（ＴＥＭ）にて評価した。）
また、この蛍光体は半導体ベースであるので蛍光寿命が短く、励起光のパワーを素早く蛍光として放射できるのでハイパワーの励起光に対して耐性が強いという特徴もある。これは、上記半導体ナノ粒子蛍光体の発光寿命が１０ナノ秒程度と、希土類を発光中心とする通常の蛍光体材料に比べて５桁も小さいためである。発光寿命が短いため、励起光の吸収と蛍光の発光とを素早く繰り返すことができる。その結果、強い励起光に対して高効率を保つことができ、蛍光体からの発熱が低減される。よって、光変換部材が熱により劣化（変色や変形）するのをより抑制することができる。これにより、光の出力が高い発光素子を光源として用いる場合に、発光装置の寿命が短くなるのをより抑制することができる。
【００４７】
発光部７の形状および大きさは、例えば、３ｍｍ×１ｍｍ×１ｍｍの直方体である。この場合、半導体レーザ３からのレーザ光を受けるレーザ光照射面７ａの面積は、３ｍｍ２である。日本国内で法的に規定されている車両用ヘッドランプの配光パターン（配光分布）は、鉛直方向に狭く、水平方向に広いため、発光部７の形状を、水平方向に対して横長（断面略長方形形状）にすることにより、上記配光パターンを実現しやすくなる。発光部７は、直方体でなくてもよく、レーザ光照射面７ａが楕円である筒状であってもよい。また、レーザ光照射面７ａは、平面である必要は必ずしもなく、曲面であってもよい。ただし、レーザ光の反射を制御するためには、レーザ光照射面７ａは、レーザ光の光軸に対して垂直な平面であることが好ましい。
【００４８】
また、発光部７は、図１に示すように、透明板９の内側（出射端部５ａが位置する側）の面において、出射端部５ａと対向する位置に固定されている。発光部７の位置の固定方法は、この方法に限定されず、反射鏡８から延出する棒状または筒状の高熱伝導部材によって発光部７の位置を固定してもよい。なお、反射鏡８およびレンズ１２の光学的焦点位置に発光部７を配置すれば、発光部７から出射される光をより効率よく外部に投射することができる。
【００４９】
反射鏡８は、発光部７が出射した光を反射することにより、所定の立体角内を進む光線束を形成するものである。すなわち、反射鏡８は、発光部７からの光を反射することにより、ヘッドランプ１の前方へ進む光線束を形成する。
【００５０】
本実施の形態では、反射鏡８は樹脂材料で形成されている。反射鏡８を樹脂材料で形成することが可能な理由は次のとおりである。つまり、半導体レーザ３が出射するレーザ光の波長域は可視光域であり、レーザ光を受けて発光部７が発光する光の波長域は可視光域から近赤外域であるため、反射鏡８が反射する光も可視光から近赤外域となる。従って、反射鏡８が反射する光には、被照射物の温度を上昇させる波長域である遠赤外線（熱線）、あるいは、樹脂を退色・変質させる波長域である紫外線は含まれない。そのような理由から、反射鏡８を樹脂材料で形成することができる。なお、後述のレンズ１２も、同様の理由により樹脂材料で形成可能である。
【００５１】
このように、反射鏡８を形成する樹脂材料は、高温や紫外線に対する耐性を高くする必要がないため、種々のタイプの樹脂材料を使用することができる。従って、反射鏡８として使用される樹脂材料は、熱可塑性樹脂であっても、あるいは熱硬化性樹脂であってもよく、また透光性を有していなくてもよい。
【００５２】
ここで、熱可塑性樹脂は、耐熱性の違いにより、汎用樹脂、汎用エンジニアリング樹脂、及びスーパーエンジニアリング樹脂に大別される。汎用樹脂は、熱変形温度１００℃未満、引っ張り強さ５００ｋｇｆ／ｃｍ２未満、耐衝撃５ｋｇｆ.ｃｍ／ｃｍ未満という特性を有する。汎用エンジニアリング樹脂は、熱変形温度１００℃以上、引っ張り強さ５００ｋｇｆ／ｃｍ２以上、耐衝撃５ｋｇｆ.ｃｍ／ｃｍ以上という特性を有する。スーパーエンジニアリング樹脂は、汎用エンジニアリング樹脂よりさらに高い熱変形温度１５０℃以上にも長期間使用できるという特性を有する。
【００５３】
ヘッドランプ１では、耐熱性を考慮する必要がないため、反射鏡８を形成する樹脂材料は、汎用樹脂、汎用エンジニアリング樹脂、あるいはスーパーエンジニアリング樹脂の何れであってもよい。なかでも、汎用樹脂は、樹脂価格が比較的安く加工もしやいため、四大汎用樹脂と呼ばれるポリエチレン（ＰＥ）、ポリプロピレン（ＰＰ）、塩化ビニル（ＰＶＣ）、ポリスチレン（ＰＳ）などは特に好適に採用できる。
【００５４】
一方、熱硬化性樹脂は、線状の３次元構造の高分子であり、加熱すると軟化し、化学反応により固化する性質を持つ。そして、一度加熱して固化した熱硬化性樹脂は、再度加熱しても溶解することがない。熱硬化性樹脂の例として、フェノール樹脂（ＰＦ）、エポキシ樹脂（ＥＰ）、ポリウレタン（ＰＵ）、シリコーン樹脂などが挙げられる。
【００５５】
なお、用途に応じて、反射鏡８の樹脂材料を選択することが好ましい。例えば、ヘッドランプ１が車載用ヘッドライトとして使用される場合、エンジンルーム内の温度上昇を考慮して樹脂材料を選択する必要がある。
【００５６】
また、反射鏡８の光反射面にはアルミ蒸着等による鏡面加工が施されており、発光部７が発した光がレンズ１２に向かって反射する。例えば、反射鏡８をＡＢＳ樹脂で射出成形し、光の反射面にアルミメッキを蒸着する例が挙げられる。
【００５７】
続いて、半導体レーザ３と反射鏡８について説明する。図１に示すように、本実施の形態では、ヘッドランプ１を作動させた時に最も発熱する部分である半導体レーザ３は、反射鏡８から離間して載置されている。つまり、図示のように、半導体レーザ３は、反射鏡８とレンズ１２とで囲まれた空間（反射空間）の外部に設けられており、半導体レーザ３で発生した熱が反射鏡８に及ぶことがないよう、互いの位置関係が調整されている。これは、半導体レーザ３が発射したレーザ光を発光部７へと導く光ファイバー５を適宜設計することで、つまり、導光部の長さ等を適宜調節することで、半導体レーザ３を反射鏡８から離間した位置（つまり、冷却しやすい位置）に設置することが可能となる。このようにして、半導体レーザ３から発生した熱が樹脂製の反射鏡８に及ばない位置に、半導体レーザ３と反射鏡８との位置関係を適宜調節することができる。
【００５８】
透明板９は、反射鏡８の開口部を覆う透明な樹脂板であり、発光部７を保持している。この透明板９を、半導体レーザ３からのレーザ光を遮断するとともに、発光部７においてレーザ光を変換することにより生成された白色光（インコヒーレントな光）を透過する材質で形成することが好ましい。発光部７によってコヒーレントなレーザ光は、そのほとんどがインコヒーレントな白色光に変換される。しかし、何らかの原因でレーザ光の一部が変換されない場合も考えられる。このような場合でも、透明板９によってレーザ光を遮断することにより、レーザ光が外部に漏れることを防止できる。なお、このような効果を期待せず、かつ透明板９以外の部材によって発光部７を保持する場合には、透明板９を省略することが可能である。
【００５９】
ハウジング１０は、ヘッドランプ１の本体を形成しており、反射鏡８等を収納している。光ファイバー５は、このハウジング１０を貫いており、半導体レーザアレイ２は、ハウジング１０の外部に設置される。半導体レーザアレイ２は、レーザ光の発振時に発熱するが、ハウジング１０の外部に設置することにより半導体レーザアレイ２を効率良く冷却することが可能となる。また、半導体レーザ３は、故障する可能性があるため、交換しやすい位置に設置することが好ましい。これらの点を考慮しなければ、半導体レーザアレイ２をハウジング１０の内部に収納してもよい。
【００６０】
エクステンション１１は、反射鏡８の前方の側部に設けられており、ヘッドランプ１の内部構造を隠して見栄えを良くするとともに、反射鏡８と車体との一体感を高めている。このエクステンション１１も反射鏡８と同様に金属薄膜がその表面に形成された樹脂材料で形成してもよい。
【００６１】
レンズ１２は、ハウジング１０の開口部に設けられており、ヘッドランプ１を密封している。発光部７において発生し、反射鏡８によって反射された光は、レンズ１２を通ってヘッドランプ１の前方へ出射される。
【００６２】
レンズ１２は、反射鏡８と同様に樹脂材料で形成され、かつ、透光性を有する樹脂材料、つまり非結晶樹脂によって形成されている。非結晶樹脂とは、分子主鎖に無秩序に側鎖が付いているものや、枝分かれや架橋があり、無定形状態にある高分子樹脂のことを言う。 無定形状態には硬いガラス状態と柔らかいゴム状態などがあり、通常透明性に優れた特性を有するものが多い。
【００６３】
非結晶樹脂の例として、熱可塑性樹脂では、ポリスチレン（ＰＳ）、アクリロニトリル／スチレン樹脂（ＡＳ）、アクリロニトリル/ブタジエン/スチレン樹脂（ＡＢＳ）、メタクリル樹脂（ＰＭＭＡ）、塩化ビニル（ＰＶＣ）などが挙げられる。特に、アクリル樹脂（メタクリル樹脂ＰＭＭＡのこと）、エポキシ樹脂、シリコーン樹脂（硬度の高いレジンタイプ）、ポリエチレンテレフタレート、ポリカーボネート、有機無機ハイブリッドガラスなどを好適に用いることができる。
【００６４】
図３は、発光部７の位置決め方法の変更例を示す断面図である。同図に示すように、反射鏡８の中心部を貫いて延びる高熱伝導部材からなる筒状部１５の先端に発光部７を固定してもよい。この場合には、筒状部１５の内部に光ファイバー５の出射端部５ａを通すことができるが、必ずしもそのようにする必要はない。例えば、筒状部１５は、図３に記載された方向と垂直に、つまり、図面に対して垂直な方向に配設され、光ファイバー５が反射鏡８の中心部を貫くように設けられてもよい。
【００６５】
なお、筒状部１５は、熱伝導率の高い材料で形成されることが好ましい。これにより、筒状部１５の一部が反射空間（反射鏡８とレンズ１２とで囲まれた空間）の外部に突出していれば、発光部７で発生する熱が効率的に反射空間の外部に放熱される。高熱伝導部材を形成する材料としては、図７に示される熱伝導率の高い材料、例えば、ジルコニア、酸化チタン、Ａｇ、Ｃｕ、ＡｌＮ（窒化アルミ）、Ａｌ等が挙げられる。また、図７に記載されていない材料であってもよく、例えばグラファイトなども高熱伝導部材を形成する材料として好適に採用することができる。
【００６６】
（出射端部５ａの配置様式）
図４（ａ）および（ｂ）は、光ファイバー５の複数の出射端部５ａを、発光部７のレーザ光照射面７ａに対して配置するパターンの一例を示す図である。同図では、出射端部５ａがレーザ光照射面７ａに接触している（または対向している）位置を円で示している。同図（ａ）に示すように、発光部７のレーザ光照射面７ａは、長軸を有しており、複数の出射端部５ａの少なくとも一部は、上記長軸に沿って配列させてもよい。具体的には、出射端部５ａを５本ずつ２段に密に配置してもよい。この構成により、水平方向に長い発光部７を効率良く励起することができる。
【００６７】
また、同図（ｂ）に示すように、レーザ光照射面７ａの中央部のみ出射端部５ａを３段に配置してもよい。すなわち、発光部７のレーザ光照射面７ａに対して配置された複数の出射端部５ａの密度は、レーザ光照射面７ａにおいて偏っている。この構成により、発光部７の中央部（出射端部５ａの密度が高い部分）が他の部分よりも強く光るため、ヘッドランプ１によって照射される領域の中央部の照度を高めることができる。
【００６８】
また、発光部７のレーザ光照射面７ａの全面に対して複数の出射端部５ａがマトリクス状に配置されてもよい。この構成によれば、発光部７を効率良く、ムラなく励起することができる。
【００６９】
（レーザ光照射領域の位置関係）
１つの出射端部５ａから出射されたレーザ光が、発光部７のレーザ光照射面７ａに照射された領域をレーザ光照射領域と称する。光ファイバー５は、複数の出射端部５ａを有しているため、レーザ光照射領域も複数形成される。図５（ａ）は光ファイバー５の出射端部５ａから出射されるレーザ光の光強度分布を示す図であり、図５（ｂ）は、複数のレーザ光照射領域の位置関係を示す図である。図５（ａ）では、光ファイバー５を構成する光ファイバー５１の出射端部５ａから出射されるレーザ光の光強度分布を曲線２１で示し、光ファイバー５２の出射端部５ａから出射されるレーザ光の光強度分布を曲線２２で示している。図５（ａ）のグラフの横軸は光ファイバー５の位置を示し、縦軸は、レーザ光照射面７ａに照射されたレーザ光の光強度を示している。
【００７０】
図５（ａ）に示すように、１つの出射端部５ａから出射されたレーザ光は、所定の角度で広がりつつレーザ光照射面７ａに到達する。そのため、光ファイバー５１・５２の出射端部５ａが、レーザ光照射面７ａに対して平行な平面において並んで配置されていたとしても、図５（ｂ）に示すように、これら出射端部５ａからのレーザ光によって形成されるレーザ光照射領域２３・２４が、互いに重なることがある。
【００７１】
このような場合でも、出射端部５ａから出射されるレーザ光の光強度分布における最も光強度が大きいところ（図５（ａ）に示す中心軸２１ａ・２２ａの近傍）が、発光部７のレーザ光照射面７ａの互いに異なる部分に対して出射されれば、レーザ光照射面７ａに対してレーザ光を２次元平面的に分散して照射することができる。
【００７２】
すなわち、複数の出射端部５ａのうちの１つから出射されたレーザ光が発光部７に照射されることによって形成される投影像において最も光強度が大きい部分である最大光強度部分（レーザ光照射領域の中央部分）の位置が、他の出射端部５ａに由来する投影像の最大光強度部分の位置と異なっていればよい。それゆえ、レーザ光照射領域を互いに完全に分離する必要は必ずしもない。
【００７３】
（半導体レーザ３の構造）
次に半導体レーザ３の基本構造について説明する。図６（ａ）は、半導体レーザ３の回路図であり、図６（ｂ）は、半導体レーザ３の基本構造を示す斜視図である。同図に示すように、半導体レーザ３は、カソード電極１９、基板１８、クラッド層１１３、活性層１１１、クラッド層１１２、アノード電極１７がこの順に積層された構成である。
【００７４】
基板１８は、半導体基板であり、一般的には、化合半導体であるＧａＡｓやＧａＮが用いられているが、Ｓｉ、ＧｅおよびＳｉＣ等のＩＶ属半導体、ＧａＡｓ、ＧａＰ、ＩｎＰ、ＡｌＡｓ、ＧａＮ、ＩｎＮ、ＩｎＳｂ、ＧａＳｂおよびＡｌＮに代表されるＩＩＩ−Ｖ属化合物半導体、ＺｎＴｅ、ＺｅＳｅ、ＺｎＳおよびＺｎＯ等のＩＩ−ＶＩ属化合物半導体、ＺｎＯ、Ａｌ２Ｏ３、ＳｉＯ２、ＴｉＯ２、ＣｒＯ２およびＣｅＯ２等の酸化物絶縁体、並びに、ＳｉＮなどの窒化物絶縁体のいずれの半導体で構成されていてもよい。特に基板１８は、窒化物半導体が好ましい。
【００７５】
アノード電極１７は、クラッド層１１２を介して活性層１１１に電流を注入するためのものである。
【００７６】
カソード電極１９は、基板１８の下部から、クラッド層１１３を介して活性層１１１に電流を注入するためのものである。なお、電流の注入は、アノード電極１７・カソード電極１９に順方向バイアスをかけて行う。
【００７７】
活性層１１１は、クラッド層１１３及びクラッド層１１２で挟まれた構造になっている。
【００７８】
また、活性層１１１の材料としては、アンドープのＧａＡｓ、ＧａＰ、ＩｎＰ、ＡｌＡｓ、ＧａＮ、ＩｎＮ、ＩｎＳｂ、ＧａＳｂおよびＡｌＮに代表されるＩＩＩ−Ｖ属化合物半導体、並びに、ＺｎＴｅ、ＺｅＳｅ、ＺｎＳおよびＺｎＯ等のＩＩ−ＶＩ属化合物半導体のいずれの半導体によって構成されていてもよい。
【００７９】
また、活性層１１１は、注入された電流により発光が生じる領域であり、クラッド層１１２及びクラッド層１１３との屈折率差により、発光した光が活性層１１１内に閉じ込められる。
【００８０】
また、活性層１１１は、注入された電流により発光が生じる領域であり、クラッド層１１２及びクラッド層１１３との屈折率差により、発光した光が活性層１１１内に閉じ込められる。
【００８１】
なお、活性層１１１には、誘導放出によって増幅される光を閉じ込めるために互いに対向して設けられる表側へき開面１１４・裏側へき開面１１５が形成されており、この表側へき開面１１４・裏側へき開面１１５が鏡の役割を果す。
【００８２】
ただし、完全に光を反射する鏡とは異なり、誘導放出によって増幅される光の一部は、ある程度増幅されると、活性層１１１の表側へき開面１１４・裏側へき開面１１５のうちのどちらか一方（本実施の形態では、便宜上表側へき開面１１４とする）から出射され、励起光Ｌ０となる。なお、活性層１１１は、多層量子井戸構造を形成していてもよい。
【００８３】
なお、表側へき開面１１４と対向する裏側へき開面１１５には、レーザ発振のための反射膜（図示せず）が形成されており、表側へき開面１１４と裏側へき開面１１５との反射率に差を設けることで、低反射率端面である、例えば、表側へき開面１１４より励起光Ｌ０の大部分を発光点１０３から照射されるようにすることができる。
【００８４】
クラッド層１１３・クラッド層１１２は、ｎ型およびｐ型それぞれのＧａＡｓ、ＧａＰ、ＩｎＰ、ＡｌＡｓ、ＧａＮ、ＩｎＮ、ＩｎＳｂ、ＧａＳｂ、及びＡｌＮに代表されるＩＩＩ−Ｖ属化合物半導体、並びに、ＺｎＴｅ、ＺｅＳｅ、ＺｎＳおよびＺｎＯ等のＩＩ−ＶＩ属化合物半導体のいずれの半導体によって構成されていてもよく、順方向バイアスをアノード電極１７及びカソード電極１９に印加することで活性層１１１に電流を注入できるようになっている。
【００８５】
クラッド層１１３・クラッド層１１２および活性層１１１などの各半導体層との膜形成については、ＭＯＣＶＤ（有機金属化学気相成長）法やＭＢＥ（分子線エピタキシー）法、ＣＶＤ（化学気相成長）法、レーザアブレーション法、スパッタ法などの一般的な成膜手法を用いて構成できる。各金属層の膜形成については、真空蒸着法やメッキ法、レーザアブレーション法、スパッタ法などの一般的な成膜手法を用いて構成できる。
【００８６】
（発光部７の発光原理）
次に、半導体レーザ３から発振されたレーザ光による蛍光体の発光原理について説明する。
【００８７】
まず、半導体レーザ３から発振されたレーザ光が発光部７に含まれる蛍光体に照射されることにより、蛍光体内に存在する電子が低エネルギー状態から高エネルギー状態（励起状態）に励起される。
【００８８】
その後、この励起状態は不安定であるため、蛍光体内の電子のエネルギー状態は、一定時間後にもとの低エネルギー状態（基底準位のエネルギー状態または励起準位と基底準位との間の準安定準位のエネルギー状態）に遷移する。
【００８９】
このように、高エネルギー状態に励起された電子が、低エネルギー状態に遷移することによって蛍光体が発光する。
【００９０】
白色光は、等色の原理を満たす３つの色の混色、または補色の関係を満たす２つの色の混色で構成でき、この原理・関係に基づき、半導体レーザから発振されたレーザ光の色と蛍光体が発する光の色とを、上述のように組み合わせることにより白色光を発生させることができる。
【００９１】
上述の半導体レーザ３を１０個設け、各半導体レーザ３から４０５ｎｍのレーザ光を受けた場合、発光部７から１５００ルーメンの光束が放射される。この場合の輝度は８０カンデラ／ｍｍ２である。
【００９２】
（反射鏡等が樹脂製であることによる効果）
従来の照明装置では、ランプから照射される紫外線、及びランプが発生する熱が樹脂の変形・変性を誘発することから、照明装置の構成部材である反射鏡、レンズには金属材料が使用されていた。そのため、照明装置の高重量化・高価格化が進み、そのことが装置の利用性を低下させる要因となっていた。
【００９３】
その問題を考慮して、本願発明者らは、ヘッドランプ１の光源として励起光源（半導体レーザ３）を使用すること、及び、反射鏡８およびレンズ１２に樹脂材料を使用することを見出した。半導体レーザ３が出射するレーザ光の波長域が可視光域であり、レーザ光を受けて発光部７が発光する光の波長域は可視光域から近赤外域であるため、反射鏡８が反射する光、及びレンズ１２を透過する光の波長域も可視光から近赤外域となる。従って、被照射物の温度を上昇させる波長域である遠赤外線（熱線）、あるいは、樹脂を退色・変質させる波長域である紫外線を含まれない光が、反射鏡８で反射され、かつレンズ１２を透過することになる。従って、反射鏡８およびレンズ１２を樹脂材料で形成したとしても、時間の経過に伴う樹脂材料の成分劣化等の問題を確実に回避することができる。
【００９４】
そして、樹脂材料を使用することで、次のようなメリットを享受することができる。つまり、樹脂材料を使用することにより、樹脂材料の軽量・安価という特徴をそのままヘッドランプ１の軽量化・低価格化につなげることができる。加えて、樹脂材料の特性である加工性の高さを活かして、ヘッドランプ１のデザイン性を高めることができる。そのような数々の利点が相俟って、ユーザにとってヘッドランプ１の利用性を高めることができる。
【００９５】
さらに、ヘッドランプ１では、半導体レーザ３は、反射鏡８とレンズ１２とで囲まれた反射空間の外部に設けられている。これにより、次のような効果を奏することができる。
【００９６】
具体的には、反射鏡８とレンズ１２とで囲まれた反射空間の外部に半導体レーザ３を設けることにより、反射空間の内部に半導体レーザ３を設ける場合と比べて、反射空間に求められる容積を小さくすることができる。つまり、半導体レーザ３を反射空間の外部に設けることにより、反射鏡８及びレンズ１２の小型化が進み、それに伴い、反射鏡８及びレンズ１２のさらなる軽量化を達成できる。その結果、ヘッドランプ１の小型化・軽量化をさらに実現することができる。加えて、樹脂材料の使用量が減るため、ヘッドランプ１のさらなる低価格化というメリットをも享受できる。
【００９７】
なお、半導体レーザ３から発生する熱が樹脂製の反射鏡８に及ぼす影響を懸念する声もある。これについては、半導体レーザ３が発射したレーザ光を発光部７へと導く光ファイバー５を適宜設計することで、つまり、動光部の長さ等を適宜調節することで、半導体レーザ３を反射鏡８から離間した位置（つまり、冷却しやすい位置）に設置すればよい。これにより、半導体レーザ３から発生した熱が樹脂製の反射鏡８に影響を及ぼす事態を回避することができる。また、光ファイバー５の長さ等を適宜調節可能にしておけば、半導体レーザ３を交換しやすい位置に設置することもできるため、ヘッドランプ１の設計自由度をさらに高めることができる。
【００９８】
また、ヘッドランプ１には次のような効果が認められる。具体的には、ヘッドランプ１では、高熱伝導部材からなる筒状部１５の先端に発光部７を固定することができる。これにより、発光部７で発生する熱を筒状部１５を介して反射空間の外部に効率的に放熱することができ、自らが発生する熱により発光部７が不具合を起こすといった問題を未然に防止しうる。
【００９９】
さらに、反射鏡８、及びレンズ１２の材料として樹脂材料を使用できるため、射出成形により反射鏡８、及びレンズ１２を成形することができる。従って、微細に形成された金型を利用することができるため、より小型化・軽量化されたヘッドランプ１を実現することが可能となる。
【０１００】
なお、ヘッドランプ１を好適に車両用ヘッドライトに適用することもできる。車両用のヘッドライトは、走行用前照灯（ハイビーム）の配光特性基準、及び、すれ違い用前照灯（ロービーム）の配光特性基準等を満足する必要がある。この点、ヘッドランプ１は、半導体レーザ３が高輝度・高光束を特徴とするものであり、また、上述したように、ヘッドランプ１は、利用性に優れ、小型かつ軽量化を実現しているため、特に車両用ヘッドライトに好適に適用することができる。そして、要求される配光特性に合わせて、単純曲面ではないレンズ１２を適宜製造することも可能である。
【０１０１】
さらに、次のような理由により、ヘッドランプ１を好適に車両用ヘッドライトに適用することもできる。具体的には、ヘッドランプ１は、利用性に優れ、かつ小型化・軽量化を実現している。従って、ヘッドランプ１を車両用ヘッドライトに適用した場合、その利用性の高さ、及び小型化されているがゆえに、車両の設計自由度を大幅に高めることができる。しかも、樹脂材料を使って軽量化も実現しているため、車両の燃費も改善される。このようなヘッドランプ１は、昨今の環境意識の高まりを背景として、より好適に車両用ヘッドライトに適用することができる。
【０１０２】
（半導体レーザ３を使用することの効果）
従来、照明装置の光源として、ＬＥＤ、ハロゲンランプ、ＨＩＤランプ（高輝度放電灯）などが使用されている。
【０１０３】
しかしながら、これらの光源には種々の課題や問題点が指摘されている。例えば、現状のＬＥＤ、あるいはハロゲンランプは、１灯あたりの輝度・光束が小さく、自動車用ヘッドライトなど用途によっては複数灯を必要とする。従って、そのような場合には、照明装置に使用される集光レンズの面積、あるいは光源の取り付け領域を大きくする必要が生じるなど、照明装置が必然的に大型化する。また、ＨＩＤランプは、６０〜８０ｃｄ／ｃｍ２と高い輝度を発揮するものの、発光のためにはガラス管と２本の放電用電極が必須であり、照明装置の小型化には不向きである。しかも、ＨＩＤランプは、光学系と組み合わせた時に輝度の高さを発揮する構成とすることが困難であるという問題がある。具体的には、発光点の近くまで２本の電極が延びてきており、また、雰囲気ガスを封じ込めるためにガラス管が必要なため、光学系（反射鏡、レンズ）と組み合わせた際に影となる部分ができてしまい、ＨＩＤランプの特徴である高輝度を十分に活かすことができないという問題がある。
【０１０４】
この点、半導体レーザ（ＬＤ）と蛍光体とを組み合わせた高輝度光源を照明装置に使用することにより、上記各問題点を有効に解決しうる。すなわち、ＬＤと蛍光体とを組み合わせることで、（ａ）ＬＤゆえに、超小型でありながら高輝度・高光束を実現でき、（ｂ）ＬＤの発光方法ゆえに、無駄なく励起光を発光部７に照射することができ、（ｃ）高輝度ゆえにヘッドランプの光学系面積を小さくすることができ、それにより照明装置の小型化を実現することもでき、（ｄ）発光部７が、半導体レーザ３によって出射された励起光をコヒーレントからインコヒーレントな光に変換することで、人の目に優しい（アイセーフな）照明装置を実現することができる。
【０１０５】
〔実施の形態２〕
本発明の他の実施形態について図８〜図１２に基づいて説明すれば、以下のとおりである。なお、実施の形態１と同様の部材に関しては、同じ符号を付し、その説明を省略する。
【０１０６】
ここでは、本発明の照明装置の一例としてのレーザダウンライト２００について説明する。レーザダウンライト２００は、家屋、乗物などの構造物の天井に設置される照明装置であり、半導体レーザ３から出射したレーザ光を発光部７に照射することによって発生する蛍光を照明光として用いるものである。
【０１０７】
なお、レーザダウンライト２００と同様の構成を有する照明装置を、構造物の側壁または床に設置してもよく、上記照明装置の設置場所は特に限定されない。
【０１０８】
図８は、発光ユニット２１０および従来のＬＥＤダウンライト３００の外観を示す概略図である。図９は、レーザダウンライト２００が設置された天井の断面図である。図１０は、レーザダウンライト２００の断面図である。図８〜図１０に示すように、レーザダウンライト２００は、天板４００に埋設され、照明光を出射する発光ユニット２１０と、光ファイバー５を介して発光ユニット２１０へレーザ光を供給するＬＤ光源ユニット２２０とを含んでいる。ＬＤ光源ユニット２２０は、天井には設置されておらず、ユーザが容易に触れることができる位置（例えば、家屋の側壁）に設置されている。このようにＬＤ光源ユニット２２０の位置を自由に決定できるのは、ＬＤ光源ユニット２２０と発光ユニット２１０とが光ファイバー５によって接続されているからである。この光ファイバー５は、天板４００と断熱材４０１との間の隙間に配置されている。
【０１０９】
（発光ユニット２１０の構成）
発光ユニット２１０は、図１０に示すように、筐体２１１、光ファイバー５、発光部７および透光板２１３を備えている。
【０１１０】
筐体２１１には、凹部２１２が形成されており、この凹部２１２の底面に発光部７が配置されている。凹部２１２の表面には、金属薄膜が形成されており、凹部２１２は反射鏡として機能する。
【０１１１】
また、筐体２１１には、光ファイバー５を通すための通路２１４が形成されており、この通路２１４を通って光ファイバー５が発光部７まで延びている。光ファイバー５の出射端部５ａと発光部７との位置関係は上述したものと同様である。
【０１１２】
透光板２１３は、凹部２１２の開口部をふさぐように配置された透明または半透明の板である。この透光板２１３は、透明板９と同様の機能を有するものであり、発光部７の蛍光は、透光板２１３を透して照明光として出射される。透光板２１３は、筐体２１１に対して取外し可能であってもよく、省略されてもよい。
【０１１３】
図８では、発光ユニット２１０は、円形の外縁を有しているが、発光ユニット２１０の形状（より厳密には、筐体２１１の形状）は特に限定されない。
【０１１４】
なお、ダウンライトでは、ヘッドランプの場合とは異なり、理想的な点光源は要求されず、発光点が１つというレベルで十分である。それゆえ、発光部７の形状、大きさおよび配置に関する制約は、ヘッドランプの場合よりも少ない。
【０１１５】
（ＬＤ光源ユニット２２０の構成）
ＬＤ光源ユニット２２０は、半導体レーザ３、非球面レンズ４および光ファイバー５を備えている。
【０１１６】
光ファイバー５の一方の端部である入射端部５ｂは、ＬＤ光源ユニット２２０に接続されており、半導体レーザ３から発振されたレーザ光は、非球面レンズ４を介して光ファイバー５の入射端部５ｂに入射される。
【０１１７】
図１０に示すＬＤ光源ユニット２２０の内部には、半導体レーザ３および非球面レンズ４が一対のみ示されているが、発光ユニット２１０が複数存在する場合には、発光ユニット２１０からそれぞれ延びる光ファイバー５の束を１つのＬＤ光源ユニット２２０に導いてもよい。この場合、１つのＬＤ光源ユニット２２０に複数の半導体レーザ３と非球面レンズ４との対（または、複数の半導体レーザ３と１つのロッド状レンズ３２との対）が収納されることになり、ＬＤ光源ユニット２２０は集中電源ボックスとして機能する。
【０１１８】
（レーザダウンライト２００の設置方法の変更例）
図１１は、レーザダウンライト２００の設置方法の変更例を示す断面図である。同図に示すように、レーザダウンライト２００の設置方法の変形例として、天板４００には光ファイバー５を通す小さな穴４０２だけを開け、薄型・軽量の特長を活かしてレーザダウンライト本体（発光ユニット２１０）を天板４００に貼り付けるということもできる。この場合、レーザダウンライト２００の設置に係る制約が小さくなり、また工事費用が大幅に削減できるというメリットがある。
【０１１９】
（レーザダウンライト２００と従来のＬＥＤダウンライト３００との比較）
従来のＬＥＤダウンライト３００は、図８に示すように、複数の透光板３０１を備えており、各透光板３０１からそれぞれ照明光が出射される。すなわち、ＬＥＤダウンライト３００において発光点は複数存在している。ＬＥＤダウンライト３００において発光点が複数存在しているのは、個々の発光点から出射される光の光束が比較的小さいため、複数の発光点を設けなければ照明光として十分な光束の光が得られないためである。
【０１２０】
これに対して、レーザダウンライト２００は、高光束の照明装置であるため、発光点は１つでもよい。それゆえ、照明光による陰影がきれいに出るという効果が得られる。また、発光部７の蛍光体を高演色蛍光体（例えば、数種類の酸窒化物蛍光体の組み合わせ）にすることにより、照明光の演色性を高めることができる。
【０１２１】
図１２は、ＬＥＤダウンライト３００が設置された天井の断面図である。同図に示すように、ＬＥＤダウンライト３００では、ＬＥＤチップ、電源および冷却ユニットを収納した筐体３０２が天板４００に埋設されている。筐体３０２は比較的大きなものであり、筐体３０２が配置されている部分の断熱材４０１には、筐体３０２の形状に沿った凹部が形成される。筐体３０２から電源ライン３０３が延びており、この電源ライン３０３はコンセント（不図示）につながっている。
【０１２２】
このような構成では、次のような問題が生じる。まず、天板４００と断熱材４０１との間に発熱源である光源（ＬＥＤチップ）および電源が存在しているため、ＬＥＤダウンライト３００を使用することにより天井の温度が上がり、部屋の冷房効率が低下するという問題が生じる。
【０１２３】
また、ＬＥＤダウンライト３００では、光源ごとに電源および冷却ユニットが必要であり、トータルのコストが増大するという問題が生じる。
【０１２４】
また、筐体３０２は比較的大きなものであるため、天板４００と断熱材４０１との間の隙間にＬＥＤダウンライト３００を配置することが困難な場合が多いという問題が生じる。
【０１２５】
これに対して、レーザダウンライト２００では、発光ユニット２１０には、大きな発熱源は含まれていないため、部屋の冷房効率を低下させることはない。その結果、部屋の冷房コストの増大を避けることができる。
【０１２６】
また、発光ユニット２１０ごとに電源および冷却ユニットを設ける必要がないため、レーザダウンライト２００を小型および薄型にすることができる。その結果、レーザダウンライト２００を設置するためのスペースの制約が小さくなり、既存の住宅への設置が容易になる。
【０１２７】
なお、レーザダウンライト２００の変形例として、図１３に示すように天井には光ファイバーを通す小さな穴だけを開け、薄型・軽量の特長を活かしてレーザダウンライト本体は天井に貼り付けるということもできる。この場合、設置に係る制約が小さくなり、また工事費用が大幅に削減できるというメリットがある。
【０１２８】
また、レーザダウンライト２００は、小型および薄型であるため、上述したように、発光ユニット２１０を天板４００の表面に設置することができ、ＬＥＤダウンライト３００よりも設置に係る制約を小さくすることができるとともに工事費用を大幅に削減できる。
【０１２９】
図１３は、レーザダウンライト２００およびＬＥＤダウンライト３００のスペックを比較するための図である。同図に示すように、レーザダウンライト２００は、その一例では、ＬＥＤダウンライト３００に比べて体積は９４％減少し、質量は８６％減少する。
【０１３０】
また、ＬＤ光源ユニット２２０をユーザの手が容易に届く所に設置できるため、半導体レーザ３が故障した場合でも、手軽に半導体レーザ３を交換できる。また、複数の発光ユニット２１０から延びる光ファイバー５を１つのＬＤ光源ユニット２２０に導くことにより、複数の半導体レーザ３を一括管理できる。そのため、複数の半導体レーザ３を交換する場合でも、その交換が容易にできる。
【０１３１】
なお、ＬＥＤダウンライト３００において、高演色蛍光体を用いたタイプの場合、消費電力１０Ｗで約５００ｌｍの光束が出射できるが、同じ明るさの光をレーザダウンライト２００で実現するためには、３．３Ｗの光出力が必要である。この光出力は、ＬＤ効率が３５％であれば、消費電力１０Ｗに相当し、ＬＥＤダウンライト３００の消費電力も１０Ｗであるため、消費電力では、両者の間に顕著な差は見られない。それゆえ、レーザダウンライト２００では、ＬＥＤダウンライト３００と同じ消費電力で、上述の種々のメリットが得られることになる。
【０１３２】
以上のように、レーザダウンライト２００は、レーザ光を出射する半導体レーザ２を少なくとも１つ備える光源ユニット２２０と、発光部７および反射鏡としての凹部２１２を備える少なくとも１つの発光ユニット２１０と、発光ユニット２１０のそれぞれへ上記レーザ光を導く光ファイバー５とを含んでいる。
【０１３３】
光ファイバー５の複数の出射端部５ｂは、発光ユニット２１０が備える１つの発光部７に対して複数配置されており、複数配置された出射端部５ｂから出射されるレーザ光がそれぞれ有する光強度分布における最も光強度の大きい部分が、配置の対象となる発光部７の互いに異なる部分に対して照射される。
【０１３４】
それゆえ、レーザダウンライト２００において、レーザ光が発光部７の一箇所に集中的に照射されることによって発光部７が著しく劣化する可能性を低減できる。その結果、長寿命のレーザダウンライト２００を実現できる。
【０１３５】
（その他の効果）
光ファイバー５は、可撓性を有しているため、出射端部５ａのレーザ光照射面７ａに対する配置を容易に変えることができる。それゆえ、レーザ光照射面７ａの形状に沿って出射端部５ａを配置することができ、レーザ光をレーザ光照射面７ａの全面にわたってマイルドに照射することができる。
【０１３６】
また、発光部７のレーザ光照射面７ａに対する複数の出射端部５ａの配置様式を設定することにより、発光部７からの光によって照らされる領域の照度を、当該領域内において変化させることができる。
【０１３７】
（本発明の別の表現）
なお、本発明は、以下のように表現してもよい。
【０１３８】
本発明に係る発光装置（高輝度光源）は、高出力の発振が可能な半導体レーザからなる励起光源と、前記励起光源からの励起光により発光する発光部を有している。
【０１３９】
さらに、本発明に係る発光装置は、励起光源としては、半導体レーザだけでなく、高出力発光ダイオードでもよい。
【０１４０】
さらに、本発明に係る発光装置は、一つの励起光源に対して一つのレーザ光出射端を持つような半導体レーザだけでなく、一つの励起光源に対して複数のレーザ光出射端を持つ半導体レーザであってもよい。
【０１４１】
本発明は上述した実施形態に限定されるものではなく、請求項に示した範囲で種々の変更が可能である。すなわち、請求項に示した範囲で適宜変更した技術的手段を組み合わせて得られる実施形態についても本発明の技術的範囲に含まれる。
【０１４２】
例えば、励起光源として高出力のＬＥＤを用いてもよい。この場合には、４５０ｎｍの波長の光（青色）を出射するＬＥＤと、黄色の蛍光体、または緑色および赤色の蛍光体とを組み合わせることにより白色光を出射する発光装置を実現できる。また、将来的に高輝度・高光束のＬＥＤが開発された場合には、当然に本発明に係る照明装置に好適に適用することもできる。
【０１４３】
また、励起光源として、半導体レーザ以外の固体レーザ、例えば高出力の発振が可能な発光ダイオードを用いてもよい。ただし、半導体レーザを用いる方が、励起光源を小型化できるため好ましい。
【産業上の利用可能性】
【０１４４】
本発明は、高輝度光源として機能する発光装置を備えた照明装置に関し、特に車両用等のヘッドランプに好適に使用することができる。
【符号の説明】
【０１４５】
１    ヘッドランプ（照明装置）
２    半導体レーザアレイ（励起光源）
３    半導体レーザ（励起光源）
５    光ファイバー（導光部）
５ａ  出射端部
５ｂ  入射端部
６    フェルール
７    発光部
７ａ  レーザ光照射面
８    反射鏡
１１  エクステンション
１２  レンズ（透明部材）
３０  半導体レーザ（励起光源）
２００  レーザダウンライト（照明装置）
【図１】
0005558933.tif 000002
【図２】
0005558933.tif 000003
【図３】
0005558933.tif 000004
【図４】
0005558933.tif 000005
【図５】
0005558933.tif 000006
【図６】
0005558933.tif 000007
【図７】
0005558933.tif 000008
【図８】
0005558933.tif 000009
【図９】
0005558933.tif 000010
【図１０】
0005558933.tif 000011
【図１１】
0005558933.tif 000012
【図１２】
0005558933.tif 000013
【図１３】
0005558933.tif 000014